(57)【要約】【課題】製造が容易で安価な伸縮可能の衣類およびその製造方法を提案する。【解決手段】厚さ方向に重ね合わせた上布２ａと下布２ｂを、その重ねた状態で縫合するための上糸２ｄとこれに絡む下糸２ｅの少なくとも一方を伸縮可能の伸縮糸を使用して伸縮可能のキルティング地２を形成し、この伸縮布地により衣類の少なくとも一部が形成された。【選択図】  図１
2010275651.tif 000002
【特許請求の範囲】
【請求項１】
厚さ方向に重ね合わせた複数枚の布地を、その重ねた状態で縫合するための上糸とこれに絡む下糸の少なくとも一方を伸縮可能の伸縮糸を使用して伸縮可能の伸縮布地が形成され、この伸縮布地により衣類の少なくとも一部が形成されたことを特徴とする衣類。
【請求項２】
前記衣類は、ジャケット、ベスト、ズボン、スカート、帽子、手袋、靴下および寝袋のいずれか一に形成されていることを特徴とする請求項１記載の衣類。
【請求項３】
前記伸縮布地は、前記複数の布地の間に保温材を介在させて前記上糸と下糸とにより格子状に縫合してキルティング地に縫製され、
前記衣類は、このキルティング地により少なくとも一部が形成されたダウンジャケット、ダウンベスト、ズボン、スカート、帽子、手袋、靴下および寝袋のいずれか一に形成されていることを特徴とする請求項１または２記載の衣類。
【請求項４】
厚さ方向に重ね合わせた複数枚の布地を、その厚さ方向両外側から縫合するための上糸とこれに絡む下糸の少なくとも一方を伸縮可能の伸縮糸を使用して伸縮可能の伸縮布地を形成する工程と、
この伸縮布地により衣類の少なくとも一部を形成する工程と、
を具備することを特徴とする衣類の製造方法。
【請求項５】
前記伸縮布地形成工程は、前記複数枚の布地の間に保温材を介在させた後、これら布地の中央部から周辺部へ順次格子状に縫合することを特徴とする請求項４記載の衣類の製造方法。
【発明の詳細な説明】
【技術分野】
【０００１】
本発明は伸縮（ストレッチ）可能の衣類及びその製造方法に関する。
【背景技術】
【０００２】
従来、スポーツウエアやインナーウエア等の分野では、伸縮性を有する織物が多数提案されている（例えば特許文献１参照）。
【先行技術文献】
【特許文献】
【０００３】
【特許文献１】特開平３−１７４０４３号公報
【発明の概要】
【発明が解決しようとする課題】
【０００４】
しかしながら、特許文献１記載の発明は、伸縮度の異なる２種以上の合成繊維マルチフィラメント糸を引き揃えて、延伸または延伸仮撚加工を施すことにより得られる仮撚複合糸の織物から形成されるので、この仮撚複合糸の製造方法が容易ではなく、そのためにコストアップを招いているという課題がある。
【０００５】
本発明は、このような事情を考慮してなされたもので、その目的は、製造が容易で安価な伸縮可能の衣類およびその製造方法を提案することにある。
【課題を解決するための手段】
【０００６】
請求項１に係る衣類は、厚さ方向に重ね合わせた複数枚の布地を、その重ねた状態で縫合するための上糸とこれに絡む下糸の少なくとも一方を伸縮可能の伸縮糸を使用して伸縮可能の伸縮布地が形成され、この伸縮布地により衣類の少なくとも一部が形成されたことを特徴とする。
【０００７】
ここで、上糸，下糸は例えばミシン糸の上糸，下糸である。
【０００８】
請求項２に係る衣類は、前記衣類は、ジャケット、ベスト、ズボン、スカート、帽子、手袋、靴下および寝袋のいずれか一に形成されていることを特徴とする。
【０００９】
請求項３に係る衣類は、前記伸縮布地は、前記複数の布地の間に保温材を介在させて前記上糸と下糸とにより格子状に縫合してキルティング地に縫製され、前記衣類は、このキルティング地により少なくとも一部が形成されたダウンジャケット、ダウンベスト、ズボン、スカート、帽子、手袋、靴下および寝袋のいずれか一に形成されていることを特徴とする。
【００１０】
請求項４に係る衣類の製造方法は、厚さ方向に重ね合わせた複数枚の布地を、その厚さ方向両外側から縫合するための上糸とこれに絡む下糸の少なくとも一方を伸縮可能の伸縮糸を使用して伸縮可能の伸縮布地を形成する工程と、この伸縮布地により衣類の少なくとも一部を形成する工程と、を具備することを特徴とする。
【００１１】
請求項５に係る衣類の製造方法は、前記伸縮布地形成工程は、前記複数枚の布地の間に保温材を介在させた後、これら布地の中央部から周辺部へ順次格子状に縫合することを特徴とする。
【発明の効果】
【００１２】
本発明によれば、伸縮可能の伸縮布地により衣類の少なくとも一部を形成するので、この衣類に伸縮性を付与することができる。また、この伸縮布地は、その複数枚の布地を縫合する、例えばミシン糸の上糸と下糸の少なくとも一方に伸縮糸を使用することにより伸縮可能に構成されるので、この伸縮布地を簡単迅速かつ低コストで形成することができる。
【図面の簡単な説明】
【００１３】
【図１】本発明の第１の実施形態に係るダウンジャケットに使用される伸縮布地の一例であるキルティング地の一部を断面で示す模式図。
【図２】図１で示す第１の実施形態に係るダウンジャケットの正面図。
【図３】図２で示すダウンジャケットの背面図。
【図４】本発明の第２の実施形態に係るダウンベストの正面図。
【図５】本発明の第３の実施形態に係るズボンの正面図。
【図６】本発明の第４の実施形態に係るドーム形ハットの正面図。
【発明を実施するための形態】
【００１４】
以下、本発明の実施形態を添付図面に基づいて説明する。なお、これらの添付図面中、同一または相当部分には同一符号を付している。
【００１５】
図２は本発明の第１の実施形態に係るダウンジャケットの正面図、図３は同ダウンジャケットの背面図である。これら図２，図３に示すようにダウンジャケット１は、後述する伸縮布地の一例であるキルティング地２よりなる左前身頃３の図１中左側縁部３ａを、後身頃４の図３中左側縁部４ａにミシン糸等により縫合し、後身頃４の図３中右側縁部４ｂに、右前身頃５の図２中右側縁部５ａをミシン糸等により縫合し、これらの図中下端部にテープ状の下縁部材６を取り付けている。但し、これら左前身頃３、右前身頃５および後身頃４は予め一体に形成してもよい。また、これら左，右前身頃３，５と後身頃４とを縫合するミシン糸としては、その上糸と下糸の少なくとも一方に、後述する伸縮糸を使用してもよい。これによれば、これら縫合部の伸縮性を向上させることができる。
【００１６】
そして、ダウンジャケット１は、これら左，右前身頃３，５と後身頃４の図中上端の襟ぐり部には、首の周囲をほぼ一周する襟部７が縫合されている。
【００１７】
また、この襟部７の前面ほぼ中央部と、左前身頃３および右前身頃５との突合せ端部とには、そのほぼ全長に亘って、図中縦方向にスライドファスナ８が連続して取り付けられている。左，右前身頃３，５の下部には、左右一対のポケット９，９が形成されている。
【００１８】
さらに、左，右前身頃３，５と後身頃４の左右一対の袖ぐりには、左右一対の袖部１０，１１がそれぞれ取り付けられている。
【００１９】
そして、左，右前身頃３，５と後身頃４および左右一対の袖部１０，１１は、伸縮可能の伸縮布地の一例であるキルティング地２により形成されている。すなわち、このダウンジャケット１の製造方法は、まずキルティング地２を形成し、次に、このキルティング地２によりダウンジャケット１の所要のパーツ、例えば左，右前身頃３，５、後身頃４および左右一対の袖部１０，１１をそれぞれ形成し、しかる後に、これら各パーツ同士を縫合することにより行なわれる。
【００２０】
図１に示すようにこのキルティング地２は、ポリエステルやナイロン等の所要の合成繊維やウール等の自然繊維等からなる上布２ａと下布２ｂとをその厚さ方向（図１では上下方向）に重ね合せ、これら上布２ａと下布２ｂとの間に、ダウン（羽毛）やポリエステル製等の中綿２ｃを保温材として介在させている。
【００２１】
そして、キルティング地２は、この状態で、これら上布２ａと下布２ｂとをミシンステッチ等により図１中上下方向（厚さ方向）で縫合し、例えば格子状等所要のキルティング模様を形成してキルティング地２に形成されている。このミシン糸は、その上糸２ｄと下糸２ｅ（図１中、破線で表示）が絡み合い縫合されるが、これら上糸２ｄと下糸２ｅの少なくともいずれか一方、例えば下糸２ｅとして伸縮可能の伸縮糸を使用している。伸縮糸としては例えば新道繊維工業（株）のラバーミニコードＳＩＣ−３１３７を使用することができる。上糸２ｄは伸縮性を有さない普通糸でも伸縮糸のいずれを使用してもよい。そして、このように上布２ａと下布２ｂとの間に中綿２ｃを充填した後に、これら上布２ａと下布２ｂとをミシン糸によりキルティング状に縫合する場合は、これら上布２ａと下布２ｂ中央部から縫い始め、漸次周辺方向へと縫って行く。これにより、中綿２ｃの偏りを低減し、キルティング地２のほぼ全体に中綿２をほぼ均等に分布させることができる。
【００２２】
このようにキルティング地２はそのミシン糸の例えば下糸２ｅとして伸縮糸を使用しているので、下糸２ｅの弾性復元力により、常時、平面方向（図１では左右，前後方向）に若干、収縮している。このために、格子状に囲まれた各中央部分は、外方（内外）に若干突出させている。したがって、このキルティング地２を平面方向に拡大させる外力が負荷されると、下糸２ｅの弾性力に抗して平面方向に拡大し、その外力が負荷されなくなると、下糸２ｅの弾性復元力により再び収縮する。すなわち、キルティング地２は、平面方向（図１中前後左右方向）に伸縮することができる。
【００２３】
そして、前記ダウンジャケット１は、左，右前身頃３，５、後身頃４および左右一対の袖部１０，１１を、この伸縮可能のキルティング地２により形成しているので、ダウンジャケット１全体としての伸縮性を向上させることができる。このために、ダウンジャケット１の着用時のフィット感を高めてファッション性を向上させると共に、保温性を向上させることができる。
【００２４】
しかも、このキルティング地２は、そのミシン糸の下糸２ｅとして伸縮糸を使用することにより伸縮可能に構成されているので、このキルティング地２を簡単迅速かつ低コストで製造することができる。このために、ダウンジャケット１も簡単迅速かつ低コストで製造することができる。なお、上糸２ｄと下糸２ｅの両者を共に伸縮糸を使用した場合には、キルティング地２の伸縮性をさらに向上させることができる。
【００２５】
図４は本発明の第２の実施形態に係るダウンベスト１２の正面図である。このダウンベスト１２は、図２，図３で示すダウンジャケット１の左右一対の袖部１０，１１を削除し、その削除後の左右一対の袖ぐりにテープ状の袖ぐり縁部１３，１４をそれぞれ形成した点で相違し、これ以外は、上記ダウンジャケット１と同様の構成である。
【００２６】
したがって、このダウンベスト１２においても、左，右前身頃３，５、後身頃４を伸縮可能のキルティング地２により形成しているので、ダウンベスト１２全体としての伸縮性を向上させることができる。このために、ダウンベスト１２の着用時のフィット感を高めてファッション性を向上させると共に、保温性を向上させることができる。また、キルティング地２は、そのミシン糸の上糸２ｄと下糸２ｅの少なくとも一方に伸縮糸を使用する簡単な構成により、伸縮可能に構成されているので、ダウンベスト１２全体の伸縮性を簡単かつ低コストで向上させることができる。
【００２７】
図５は本発明の第３の実施形態に係るズボン１５の正面図、図６は同第４の実施形態に係るドーム形ハット１６の正面図である。これらズボン１５、ドーム形ハット１６も上記ダウンジャケット１と同様、伸縮可能のキルティング地２により形成されているので、ズボン１５、ドーム形ハット１６全体としての伸縮性を向上させることができる。このために、ズボン１５、ドーム形ハット１６の着用時のフィット感を高めてファッション性を向上させると共に、保温性を向上させることができる。また、キルティング地２は、そのミシン糸の上糸２ｄと下糸２ｅの少なくとも一方に伸縮糸を使用する簡単な構成により、伸縮可能に構成されているので、ズボン１５、ドーム形ハット１６全体の伸縮性を簡単かつ低コストで向上させることができる。
【００２８】
なお、上記実施形態では、伸縮可能のキルティング地２により、ダウンジャケット１，ダウンベスト１２，ズボン１５，ドーム形ハット１６をそれぞれ形成する場合について説明したが、本発明はこれに限定されるものではなく、例えばスカートや靴下（羽毛入りまたは羽毛無し）寝袋，ベッドカバー，手袋等の衣類一般をキルティング地２により形成してもよい。また、キルティング地２は衣類全体に使用されなくてもよく、少なくとも衣類の一部に使用されればよい。さらに、上記キルティング地２では、上布２ａと下布ｂとの間に中綿２ｃ等の保温材を介在させた場合について説明したが、この中綿２ｃ等の保温材を省略してもよく、また、上布２ａと下布２ｂをそれぞれ２枚以上使用してもよく、さらに、上布２ａと下布ｂを表地，裏地として形成してもよい。さらに、ミシン目もミシンステッチや飾り縫いにより模様を浮き上がらせるように構成してもよい。
【符号の説明】
【００２９】
１  ダウンジャケット
２  キルティング地
２ａ  上布
２ｂ  下布
２ｃ  中綿
２ｄ  上糸
２ｅ  下糸
３  左前身頃
４  後身頃
５  右前身頃
１０，１１  一対の袖部
１２  ダウンベスト
１５  スボン
１６  ドーム形ハット
【図１】
2010275651.tif 000003
【図２】
2010275651.tif 000004
【図３】
2010275651.tif 000005
【図４】
2010275651.tif 000006
【図５】
2010275651.tif 000007
【図６】
2010275651.tif 000008